(57)【要約】【課題】金属製のスナップファスナーが有する見栄えの良さを備えながら、人の肌を傷つけ得るバリが形成され難く、裏地における黒ずみも生じ難いスナップファスナーを提供すること。【解決手段】シート状部材３の一面側に配置される合成樹脂製のリベット部材４及び他面側に配置される合成樹脂製の嵌合用部材５を具備し、リベット部材は、リベット基板６と、リベット基板においてシート状部材に向けられる裏面の中央部に一体成形された先鋭な突起７とを有し、嵌合用部材は、突起を挿入するための貫通孔８が中央部に形成された嵌合基板９と、嵌合基板においてシート状部材から離反する方向に向けられる表面に一体成形された雄型又は雌型の嵌合部１０とを有し、リベット基板の少なくとも裏面の周縁部から表面の周縁部にわたる部分を覆う金属製の巻き部材１９を具備した。【選択図】図２
0003197739.tif 000002
【実用新案登録請求の範囲】
【請求項１】
シート状部材の一面側に配置される合成樹脂製のリベット部材及び他面側に配置される合成樹脂製の嵌合用部材を具備し、
前記リベット部材は、リベット基板と、該リベット基板において前記シート状部材に向けられる裏面の中央部に一体成形された先鋭な突起とを有し、
前記嵌合用部材は、前記突起を挿入するための貫通孔が中央部に形成された嵌合基板と、該嵌合基板において前記シート状部材から離反する方向に向けられる表面に一体成形された雄型又は雌型の嵌合部とを有し、
前記シート状部材の一面側から打ち込まれた前記リベット部材の前記突起を前記シート状部材の他面側に配置された前記嵌合用部材の前記貫通孔に挿入し、前記突起の先端部を打撃により拡開変形させることによって前記嵌合用部材を前記シート状部材に取り付けるようにしたスナップファスナーであって、
前記リベット基板の少なくとも裏面の周縁部から表面の周縁部にわたる部分を覆う金属製の巻き部材を具備したスナップファスナー。
【請求項２】
前記巻き部材において、前記リベット基板の表面を覆う部位に、前記リベット基板の表面を露出させるための開口が設けられている請求項１に記載のスナップファスナー。
【考案の詳細な説明】
【技術分野】
【０００１】
本考案は、例えば、衣服の生地等に取り付けられるスナップファスナーに関する。
【背景技術】
【０００２】
従来のスナップファスナーとして金属製のものがある。金属製のスナップファスナーは合成樹脂製のスナップファスナーと比べ、一般的に見栄えがよいといえる。
【考案の概要】
【考案が解決しようとする課題】
【０００３】
しかし、金属製のスナップファスナーは、合成樹脂製のものに比べ、高価となり、その製造過程において人の肌を傷つけ得るバリが形成されることもある。また、金属製のスナップファスナーを取り付けた生地が、例えばダメージ加工等の際に加熱されると、生地に含まれる塩素及び硫黄と、金属製スナップファスナーの塗装に使用されているニッケルとが反応して、黒ずみの原因となる硫化ニッケルに変化する恐れがあり、この硫化ニッケルは特に裏地に溜まり易いことが分かっている。
【０００４】
本考案は上述の事柄に留意してなされたもので、その目的は、金属製のスナップファスナーが有する見栄えの良さを備えながら、人の肌を傷つけ得るバリが形成され難く、裏地における黒ずみも生じ難いスナップファスナーを提供することにある。
【課題を解決するための手段】
【０００５】
上記目的を達成するために、本考案に係るスナップファスナーは、シート状部材の一面側に配置される合成樹脂製のリベット部材及び他面側に配置される合成樹脂製の嵌合用部材を具備し、前記リベット部材は、リベット基板と、該リベット基板において前記シート状部材に向けられる裏面の中央部に一体成形された先鋭な突起とを有し、前記嵌合用部材は、前記突起を挿入するための貫通孔が中央部に形成された嵌合基板と、該嵌合基板において前記シート状部材から離反する方向に向けられる表面に一体成形された雄型又は雌型の嵌合部とを有し、前記シート状部材の一面側から打ち込まれた前記リベット部材の前記突起を前記シート状部材の他面側に配置された前記嵌合用部材の前記貫通孔に挿入し、前記突起の先端部を打撃により拡開変形させることによって前記嵌合用部材を前記シート状部材に取り付けるようにしたスナップファスナーであって、前記リベット基板の少なくとも裏面の周縁部から表面の周縁部にわたる部分を覆う金属製の巻き部材を具備した（請求項１）。
【０００６】
上記スナップファスナーにおいて、前記巻き部材において、前記リベット基板の表面を覆う部位に、前記リベット基板の表面を露出させるための開口が設けられていてもよい（請求項２）。
【考案の効果】
【０００７】
本願考案では、金属製のスナップファスナーが有する見栄えの良さを備えながら、人の肌を傷つけ得るバリが形成され難く、裏地における黒ずみも生じ難いスナップファスナーが得られる。
【０００８】
すなわち、本願の各請求項に係る考案のスナップファスナーでは、金属製の巻き部材によって、このスナップファスナーが取り付けられる衣服等の見栄えを良くすることができる。
【０００９】
また、本考案のスナップファスナーでは、全体を金属製とするのではなく、巻き部材のみを金属製とし、他の部材を合成樹脂製とするので、その分安価に製造可能とすることもできる。
【００１０】
さらに、金属製のスナップファスナーの場合、その製造過程において人の肌を傷つけ得るバリが形成されることもあるが、本考案のスナップファスナーでは、巻き部材をリベット基板に装着するだけであるので、そのようなバリの形成が起こり難い。
【００１１】
また、本考案のスナップファスナーでは、表面側に現れるリベット部材に巻き付ける巻き部材のみが金属製であるので、裏地に溜まり易い硫化ニッケルの影響による黒ずみは生じ難くなる。
【００１２】
請求項２に係る考案のスナップファスナーでは、巻き部材の開口からリベット基板が露出することによる特有の意匠性を持たせることができる。
【図面の簡単な説明】
【００１３】
【図１】本考案の一実施の形態に係るスナップファスナーの構成を概略的に示す分解者である。
【図２】留めた状態の前記スナップファスナーの構成を概略的に示す縦断面図である。
【図３】（Ａ）及び（Ｂ）は、前記スナップファスナーの要部の構成を概略的に示す縦断面図及び斜視図である。
【図４】本考案の変形例に係るスナップファスナーの要部の構成を概略的に示す縦断面図である。
【考案を実施するための形態】
【００１４】
本考案の実施の形態について図面を参照しながら以下に説明する。
【００１５】
図１及び図２に示すスナップファスナーは、雌型のスナップファスナー１と雄型のスナップファスナー２とで構成されている。
【００１６】
このうち、雌型のスナップファスナー１は、衣服の生地等のシート状部材３の一面側に配置される合成樹脂製のリベット部材４及び他面側に配置される合成樹脂製の雌型の嵌合用部材（ソケット）５を具備している。
【００１７】
リベット部材４は、リベット基板（円盤状頭部）６と、リベット基板６においてシート状部材３に向けられる裏面の中央部に一体成形された先鋭な突起７とを有し、突起７はシート状部材３に刺し通し可能に構成されている。
【００１８】
雌型の嵌合用部材５は、突起７を挿入するための貫通孔８が中央部に形成された嵌合基板９と、嵌合基板９においてシート状部材３から離反する方向に向けられる表面に一体成形された雌型の嵌合部１０とを有する。雌型の嵌合部１０は、略円筒状で、先端側内周面に係合用膨出部１０ａが形成されている。
【００１９】
斯かる構成の雌型のスナップファスナー１では、シート状部材３の一面側から打ち込まれたリベット部材４の突起７をシート状部材３の他面側に配置された雌型の嵌合用部材５の貫通孔８に挿入し、突起７の先端部を打撃により拡開変形させる（フランジ付けする）ことによって雌型の嵌合用部材５をシート状部材３に取り付ける（リベット部材４と雌型の嵌合用部材５をかしめ止めする）ことができる。
【００２０】
一方、雄型のスナップファスナー２は、衣服の生地等のシート状部材１１の一面側に配置される合成樹脂製のリベット部材１２及び他面側に配置される合成樹脂製の雄型の嵌合用部材（スタッド）１３を具備している。
【００２１】
リベット部材１２は、リベット基板（円盤状頭部）１４と、リベット基板１４においてシート状部材１１に向けられる裏面の中央部に一体成形された先鋭な突起１５とを有し、突起１５はシート状部材１１に刺し通し可能に構成されている。
【００２２】
雄型の嵌合用部材１３は、突起１５を挿入するための貫通孔１６が中央部に形成された嵌合基板１７と、嵌合基板１７においてシート状部材１１から離反する方向に向けられる表面に一体成形された雄型の嵌合部１８とを有する。雄型の嵌合部１８は、略円筒状で、先端側外周面に係合用膨出部１８ａが形成されている。
【００２３】
斯かる構成の雄型のスナップファスナー２では、シート状部材１１の一面側から打ち込まれたリベット部材１２の突起１５をシート状部材１１の他面側に配置された雄型の嵌合用部材１３の貫通孔１６に挿入し、突起１５の先端部を打撃により拡開変形させる（フランジ付けする）ことによって雄型の嵌合用部材１３をシート状部材１１に取り付ける（リベット部材１２と雄型の嵌合用部材１３をかしめ止めする）ことができる。
【００２４】
ここで、雌型のスナップファスナー１のリベット部材４及び雌型の嵌合用部材５と、雄型のスナップファスナー２のリベット部材１２及び雄型の嵌合用部材１３とは、いずれも、ポリアセタール、ナイロン、ポリエステル（不飽和アルキドとビニール系モノマーの混合物）、ポリアミド樹脂等の合成樹脂で形成することができ、耐熱性に富む合成樹脂で形成するのが好ましい。
【００２５】
そして、リベット部材４,１２のうち、スナップファスナーを留めた状態（図２に示すように、雄型,雌型のスナップファスナー１,２を弾性嵌合した状態）で、例えば衣服の上に重なる縁部（例えば、上前立て）の表面側に現れるリベット部材（ヘッド）４には、リベット基板６の少なくとも裏面の周縁部から表面の周縁部にわたる部分を覆う金属製の巻き部材１９が巻き付けられている。
【００２６】
本実施形態の巻き部材１９は、図３（Ａ）及び（Ｂ）に示すように、リベット基板６の裏面側においては、裏面側に膨出するリベット基板６周縁の膨出部６ａのみを覆ってその内側にまでは至らず、リベット基板６の表面側においては、その表面の全体を覆うように構成されている。また、巻き部材１９は、例えば、真鍮、鉄、銅、アルミニウム、洋白の何れかで成形すればよい。
【００２７】
このように、スナップファスナーを留めた状態で、表面側に現れるリベット部材４に金属製の巻き部材１９を装着した本実施形態のスナップファスナーでは、このスナップファスナーが取り付けられる衣服等の見栄えを良くすることができる。
【００２８】
また、本実施形態では、スナップファスナー全体を金属製とするのではなく、巻き部材１９のみを金属製とし、他の部材を合成樹脂製とするので、その分安価に製造可能とすることもできる。
【００２９】
さらに、金属製のスナップファスナーの場合、その製造過程において人の肌を傷つけ得るバリが形成されることもあるが、本実施形態では、巻き部材１９をリベット基板６に巻き付けるだけであるので、そのようなバリの形成が起こり難い。また、リベット部材４，１２のうち、裏面側に位置するリベット部材１２には巻き部材１９を巻き付けないようにすることで、このスナップファスナーが取り付けられた衣服等の着用者の肌に当たる可能性があるのは合成樹脂製の部位のみとなり、高い安全性が得られる。
【００３０】
金属製のスナップファスナーを取り付けた生地が、例えばダメージ加工等の際に加熱されると、生地に含まれる塩素及び硫黄と、金属製スナップファスナーの塗装に使用されているニッケルとが反応して、黒ずみの原因となる硫化ニッケルに変化する恐れがあり、この硫化ニッケルは特に裏地に溜まり易いことが分かっている。しかし、本実施形態では、表面側に現れるリベット部材４に巻き付ける巻き部材１９のみが金属製であるので、裏地に溜まり易い硫化ニッケルの影響による黒ずみは生じ難くなる。
【００３１】
なお、本考案は、上記の実施の形態に何ら限定されず、本考案の要旨を逸脱しない範囲において種々に変形して実施し得ることは勿論である。例えば、以下のような変形例を挙げることができる。
【００３２】
図２及び図３に示した例では、巻き部材１９はリベット基板６の表面全体を覆っているが、これに限らず、例えば図４に示すように、リベット基板６の表面を覆う部位に、リベット基板６の表面の中央部を露出させるための開口２０を設けてもよい。この場合、巻き部材１９の開口２０からリベット基板６が露出することによる特有の意匠性を持たせることができる。なお、図４に示す開口２０は、例えば円形であるが、他の形状でもよく、また、開口２０を一つのみではなく複数設けるようにしてもよく、さらに、リベット基板６の表面の中央部に限らず周縁部が開口２０を通じて露出するようにしてもよい。その他、リベット基板６の裏面側についても、巻き部材１９がリベット基板６周縁の膨出部６ａのみならず、より内側の部分まで覆うようにしてもよい。
【００３３】
上記実施の形態では、雌型、雄型のスナップファスナー１，２のうち、表面側に現れるのは雌型のスナップファスナーであることから、この雌型のスナップファスナー１のリベット部材４に巻き部材１９を装着しているが、逆に雄型のスナップファスナー２が表面側に現れる場合はそのリベット部材１２に巻き部材１９を装着すればよい。
【００３４】
なお、本明細書に示した変形例どうしを適宜組み合わせてもよいことはいうまでもない。
【符号の説明】
【００３５】
１    雌型のスナップファスナー
２    雄型のスナップファスナー
３    シート状部材
４    リベット部材
５    雌型の嵌合用部材
６    リベット基板
６ａ  膨出部
７    突起
８    貫通孔
９    嵌合基板
１０    雌型の嵌合部
１０ａ  係合用膨出部
１１    シート状部材
１２    リベット部材
１３    雄型の嵌合用部材
１４    リベット基板
１５    突起
１６    貫通孔
１７    嵌合基板
１８    雄型の嵌合部
１８ａ  係合用膨出部
１９    巻き部材
２０    開口
【図１】
0003197739.tif 000003
【図２】
0003197739.tif 000004
【図３】
0003197739.tif 000005
【図４】
0003197739.tif 000006